(57)【要約】      （修正有）【課題】高ＮＡで可視域から近赤外域まで、諸収差が良好に補正された顕微鏡対物レンズを提供すること。【解決手段】物体側から順に、少なくとも一つの接合レンズを含む第１レンズ群Ｇ１と、少なくとも一つの接合レンズを含む第２レンズ群Ｇ２とにて構成し、第１レンズ群の接合レンズＬ１が正レンズＬ１ｐと像側に凹面を向けた負レンズＬ１ｎとよりなり、第２レンズ群の接合レンズＬ２が、物体側に平面または凹面を向けた負レンズＬ２ｎと正レンズＬ２ｐとよりなり、適切に設定された条件を満足する。【選択図】図１
2011028288.tif 000002
【特許請求の範囲】
【請求項１】
物体側から順に、第１レンズ群と、第２レンズ群とよりなり、第１レンズ群は、物体側から順に、負レンズと正レンズを貼り合わせた接合レンズと、正レンズと、正レンズと、正レンズと像側に凹面を向けた負レンズとを貼り合わせた第２の接合レンズとよりなり、第２レンズ群は、物体側より順に、物体側に凹面を向けた負レンズと正レンズとを貼り合わせた接合レンズと、正レンズとよりなり、以下条件（１）、（２）、（３）、（４）、（５）を満足する顕微鏡対物レンズ。
（１）  νd（Ｌ１ｐ）−νd（Ｌ１ｎ）＞２０
（２）  νd（Ｌ２ｐ）＞７５
（３）  −０．００７＜｛θＣｔ（Ｌ２ｐ）−θＣｔ（Ｌ２ｎ）｝／
｛νd（Ｌ２ｐ）−νd（Ｌ２ｎ）｝＜０
（４）  １５＜ｆ＜５５
（５）  ｜ｆ（Ｌ２）／ｆ｜＜４
ただし、νd（Ｌ１ｐ）は、前記第１レンズ群中の第２の接合レンズの正レンズのｄ線に対するアッベ数、νd（Ｌ１ｎ）は前記第１レンズ群中の第２の接合レンズの像側に凹面を向けた負レンズのｄ線に対するアッベ数、νd（Ｌ２ｐ）は、前記第２レンズ群中の接合レンズの正レンズのｄ線に対するアッベ数、νd（Ｌ２ｎ）は前記第２レンズ群中の接合レンズの物体側に平面または凹面を向けた負レンズのｄ線に対するアッベ数、θＣｔ（Ｌ２ｐ）は前記第２レンズ群中の接合レンズの正レンズのｔ線に対する部分分散比、θＣｔ（Ｌ２ｎ）は前記第２レンズ群中の接合レンズの物体側に平面または凹面を向けた負レンズのｔ線に対する部分分散比、ｆ（Ｌ２）は前記第２レンズ群中の接合レンズの焦点距離、ｆは対物レンズ全系の焦点距離である。
【請求項２】
前記第２レンズ群中の接合レンズに入射する光束が発散光束であることを特徴とする請求
項１の顕微鏡対物レンズ。
【請求項３】
前記条件（１）に代えて、以下条件（１−１）を満足する請求項１または請求項２に記載の顕微鏡対物レンズ。
（１−１）  νd（Ｌ１ｐ）−νd（Ｌ１ｎ）＞２５
【請求項４】
前記第１レンズ群中の第２の接合レンズの正レンズのアッベ数νd（Ｌ１ｐ）が以下条件（６）を満足する請求項１から請求項３のいずれかに記載の顕微鏡対物レンズ。
（６）  νd（Ｌ１ｐ）＞７５
【請求項５】
請求項１から請求項４のいずれかに記載の対物レンズを用いた光学顕微鏡あるいは光学観察装置。
【発明の詳細な説明】
【技術分野】
【０００１】
本発明は、顕微鏡対物レンズで、特に倍率が４倍から１０倍程度であって、可視域か
ら近赤外域まで諸収差が良好に補正されたアポクロマート顕微鏡対物レンズに関するもの
である。
【背景技術】
【０００２】
近年、生物関係の研究市場において、次のような要求がある。
【０００３】
まず、蛍光観察法においては、これまでよりも更に長い波長の蛍光色素を利用して、
近赤外域での蛍光観察が行なわれるようになり、そのため、近赤外域での良好な結像性能
を有する光学系が望まれている。
【０００４】
また、近赤外ＤＩＣ観察法が利用されるようになり、近赤外域での良好な結像性能が
望まれている。
【０００５】
また２フォトン（ｐｈｏｔｏｎ）に代表されるようなマルチフォトン観察においては
、標本を長波長光にて励起し、可視光にて観察するため、可視域の波長と近赤外域の波長
とで標本上での焦点位置のずれの小さいことが望まれる。
【０００６】
更に、蛍光観察法と近赤外ＤＩＣ観察法の同時観察が行なわれることがあり、可視域
の波長と近赤外域の波長とで、標本上での焦点位置のずれが小さいことが望まれている。
【０００７】
以上のような理由から、可視域から近赤外域まで諸収差が良好に補正されたアポクロ
マート顕微鏡対物レンズが望まれている。
【０００８】
従来、可視域から近赤外域まで諸収差を良好に補正するようにした対物レンズとして
、下記文献に記載されたものが知られている。
【特許文献１】特開昭６２−４９３１３号公報
【特許文献２】特公平７−１０４４８８号公報（特開平４−２６８１３号公報）
【特許文献３】特開平６−１７５０３４号公報
【特許文献４】特開平１１−１７４３３８号公報
【特許文献５】特開２００３−１６７１９９号公報    上記文献のうち、文献１に記載された対物レンズは、倍率が５０倍でＮＡが０．５の対物レンズや、倍率が６０倍でＮＡが０．６の対物レンズである。
【０００９】
また、文献２に記載されている対物レンズは、倍率が５倍でＮＡが０．１４、倍率が
１０倍でＮＡが０．２６、倍率が２０倍でＮＡが０．４、倍率が５０倍でＮＡが０．４２
、倍率が１００倍でＮＡが０．５の対物レンズである。
【００１０】
また、文献３には、倍率が５０倍でＮＡが０．４５の対物レンズが記載されている。
【００１１】
また、文献４には、倍率が５倍でＮＡが０．１３、倍率が１０倍でＮＡが０．２１、
倍率が２０倍でＮＡが０．３５、倍率が５０倍でＮＡが０．４、倍率が１００倍でＮＡが
０．５の対物レンズが記載されている。
【００１２】
更に、文献５には倍率が１００倍でＮＡが０．７の対物レンズが記載されている。
【００１３】
これら従来例に記載されている対物レンズは、半導体ＩＣや液晶パネルの観察・検査
のために用いられるものである。これら対物レンズは、ＹＡＧレーザー（１０６４ｎｍ）
を用いた配線欠陥リペアのため近赤外線まで収差補正を行なっている。しかし、これら対
物レンズは、観察対象が半導体ＩＣや液晶パネルであるために、作動距離が長く、そのた
めにＮＡが小になっている。それにより、高解像や明るい観察像を必要とする細胞や蛋白
質やＤＮＡ等を観察する対物レンズとしては不向きである。
【発明の開示】
【発明が解決しようとする課題】
【００１４】
本発明は、高ＮＡで可視域から近赤外域まで、特にｔ線（λ＝１０１３．９８ｎｍ）
近傍まで諸収差が良好に補正された顕微鏡対物レンズを提供するものである。
【課題を解決するための手段】
【００１５】
本発明の顕微鏡対物レンズは、物体側から順に、第１レンズ群と、第２レンズ群とよりなり、第１レンズ群は、物体側から順に、負レンズと正レンズを貼り合わせた接合レンズと、正レンズと、正レンズと、正レンズと像側に凹面を向けた負レンズとを貼り合わせた第２の接合レンズとよりなり、第２レンズ群は、物体側より順に、物体側に凹面を向けた負レンズと正レンズとを貼り合わせた接合レンズと、正レンズとよりなり、以下条件（１）、（２）、（３）、（４）、（５）を満足することを特徴とする。
（１）  νd（Ｌ１ｐ）−νd（Ｌ１ｎ）＞２０
（２）  νd（Ｌ２ｐ）＞７５
（３）  −０．００７＜｛θＣｔ（Ｌ２ｐ）−θＣｔ（Ｌ２ｎ）｝／
｛νd（Ｌ２ｐ）−νd（Ｌ２ｎ）｝＜０
（４）  １５＜ｆ＜５５
（５）  ｜ｆ（Ｌ２）／ｆ｜＜４
ただし、νd（Ｌ１ｐ）は、前記第１レンズ群中の第２の接合レンズの正レンズのｄ線に対するアッベ数、νd（Ｌ１ｎ）は前記第１レンズ群中の第２の接合レンズの像側に凹面を向けた負レンズのｄ線に対するアッベ数、νd（Ｌ２ｐ）は、前記第２レンズ群中の接合レンズの正レンズのｄ線に対するアッベ数、νd（Ｌ２ｎ）は前記第２レンズ群中の接合レンズの物体側に平面または凹面を向けた負レンズのｄ線に対するアッベ数、θＣｔ（Ｌ２ｐ）は前記第２レンズ群中の接合レンズの正レンズのｔ線に対する部分分散比、θＣｔ（Ｌ２ｎ）は前記第２レンズ群中の接合レンズの物体側に平面または凹面を向けた負レンズのｔ線に対する部分分散比、ｆ（Ｌ２）は前記第２レンズ群中の接合レンズの焦点距離、ｆは対物レンズ全系の焦点距離である。
【００１６】
尚、部分分数θＣｔは次の式にて与えられる。
【００１７】
θＣｔ＝（ｎＣ−ｎｔ）／（ｎＦ−ｎＣ）
ここで、ｎＣ，ｎｔ，ｎＦは夫々Ｃ線、ｔ線、Ｆ線に対する屈折率である。また、ｇ
線、Ｆ線、ｄ線、Ｃ線、Ａ’線、ｔ線の波長は、夫々４３５．８３５ｎｍ  ４８６．１３
ｎｍ，５８７．５６ｎｍ，６５６．２７ｎｍ，７６８．１９ｎｍ，１０１３．９８ｎｍで
ある。
【００１８】
上記のように、本発明の顕微鏡対物レンズは、第１レンズ群と第２レンズ群とよりな
り、第１レンズ群は正レンズと像側に凹面を向けた負レンズとを接合した第２の接合レンズを少なくとも含んでおり、第２レンズ群は物体側に平面または凹面を向けた負レンズと正レン
ズとを接合した接合レンズを少なくとも含んだ構成のレンズ系である。
【００１９】
本発明の対物レンズにおいて、第１レンズ群の接合レンズはレンズ系の前側（物体側
）に配置されるため、光線高の上下の大きい場所（光線高の変化の大きい場所）に配置さ
れる。そのために、この第１レンズ群に含まれる第２の接合レンズは、強い軸上色収差の補正作用を有している。また、球面収差、非点収差、コマ収差等の諸収差の補正作用も有している。
【００２０】
また、第２レンズ群の接合レンズは、対物レンズの後群に配置され、したがってなだ
らかに光線が通過する場所に配置される。そのため、この第２レンズ群に含まれる接合レ
ンズは、光線がなだらかに通過する場所に配置されるために、球面収差、非点収差、コマ
収差等の諸収差へ与える影響を少なくし、主として軸上色収差補正の作用を持たせること
ができる。
【００２１】
そこで、本発明は、第１レンズ群中に前記の通りの第２の接合レンズを配置して、主として可視域での軸上色収差を補正するようにし、また第２レンズ群に前記の通りの接合レンズを配置することによって可視域の軸上色収差と共に近赤外域（例えば７５０ｎｍ〜１０１４ｎｍ）の軸上色収差を補正するようにした。
【００２２】
更に、本発明の第１レンズ群中に配置した前記構成の第２の接合レンズにおいて可視域の色収差を良好に補正するためには、この接合レンズを構成する正レンズと像側に凹面を向けた負レンズのアッベ数νdは離れた値であることが好ましく、前記条件（１）を満足することが望ましい。
【００２３】
条件（１）において下限値の２０より下回る可視域での色収差の補正が困難になる。
【００２４】
この条件（１）の代わりに下記条件（１−１）を満足すれば、色収差を一層良好に補
正し得る。
【００２５】
（１−１）  νd（Ｌ１ｐ）−νd（Ｌ１ｎ）＞２５
ここで第１レンズ群の第２の接合レンズの正レンズのアッベ数νd（Ｌ１ｐ）が下記条件（６）を満足することが好ましい。
【００２６】
（６）  νd（Ｌ１ｐ）＞７５
この条件（６）を満足することによりｄ線、Ｃ線、Ｆ線の色収差を良好に補正できる
。また、アッベ数が７５を超えるガラスは、ｇ線における異常分散性が大きいためｇ線の
色収差も良好に補正できる。
【００２７】
条件（６）において、下限の７５を下回ると、特にｇ線の色収差の補正が十分行なわ
れなくなる。
【００２８】
次に、第２レンズ群に含まれる前記構成の接合レンズは、可視域と赤外域での色収差
の補正を可能にする。そのうちの可視域の色収差を補正するために、条件（２）を設けた
。
【００２９】
この条件（２）において、下限の７５を下回ると、可視域での色収差が補正不足にな
る。
【００３０】
尚、この条件（２）や前記条件（６）を満足する材料としてフツリン酸系ガラスやリ
ン酸系ガラスや蛍石等がある。
【００３１】
また、条件（３）は、第２レンズ群中の接合レンズにより近赤外域での色収差を補正
するために設けた条件である。
【００３２】
通常、可視域のみの色収差を補正する目的をもって接合レンズを用いる場合、条件（
３）にて規定する値は正になることが多い。
【００３３】
本発明は、第２レンズ群に条件（３）の値が負になる接合レンズを加えることによっ
て、近赤外域での色収差を補正するようにした。
【００３４】
条件（３）において、下限値の−０．００７を下回ると近赤外域での色収差が補正過
剰になり、また、この第２レンズ群の接合レンズを構成する負レンズと正レンズのアッベ
数の差が小になり、可視域での色収差の補正が十分でなくなる。
【００３５】
条件（３）において、上限値の０を超えると、可視域での色収差の補正には有利であ
るが、近赤外域で色収差が補正不足になる。
【００３６】
条件（４）は、本発明の顕微鏡対物レンズの適用範囲を規定するものである。つまり
、本発明の対物レンズの倍率の範囲を規定している。この条件（４）において、下限値の
１５を下回ると対物レンズの倍率が大になりすぎ、第２レンズ群中に条件（３）を満足す
る接合レンズを配置することが困難になる。上限値の５５を超えると、対物レンズの倍率
が小になりすぎ、色収差の発生量が大になり、これを補正することが困難になる。
【００３７】
条件（５）は、第２レンズ群に含まれる前記構成の接合レンズの屈折力を規定するも
のである。この条件（５）において、上限値の４を超えると第２レンズ群の接合レンズの
屈折力が弱くなり、本発明の適用範囲である低倍率の対物レンズとする場合、光束を有効
に伝達することができず、全系の焦点距離に不都合を生ずる。つまり、対物レンズの焦点
距離を長くする（低倍率にする）ことが困難になる。
【００３８】
本発明の対物レンズを構成する第１レンズ群および第２レンズ群は、例えば後に述べ
る実施例のように、前記構成の各接合レンズのほか、単レンズや接合レンズを配置しても
よい。
【００３９】
以上述べた本発明の各構成の対物レンズにおいて、第２レンズ群中の物体側に平面あ
るいは凹面を向けた負レンズと正レンズとを貼り合わせた接合レンズへ入射する光束が発
散光束であるようにすることが望ましい。
【００４０】
前記の接合レンズによる色収差補正の自由度を増すためには、前記のようにこの接合
レンズへ入射する光束が発散光束であることが好ましい。もし、この入射光束が発散光束
でないと、条件（３）を満足するような接合レンズを配置することが困難になる。
以上述べた本発明の対物レンズを備えた光学顕微鏡あるいは光学観察装置は、標本の
高解像で明るい観察が可能であり、細胞その他の観察にとって有効である。
【発明の効果】
【００４１】
本発明によれば、高ＮＡであって、可視域から近赤外域までにわたり、色収差をはじ
め、球面収差、非点収差、コマ収差等の諸収差が良好に補正された顕微鏡対物レンズを実
現し得る。
【図面の簡単な説明】
【００４２】
【図１】本発明の参考例１の対物レンズの構成を示す図
【図２】本発明の参考例２の対物レンズの構成を示す図
【図３】本発明の参考例３の対物レンズの構成を示す図
【図４】本発明の実施例１の対物レンズの構成を示す図
【図５】本発明の実施例２の対物レンズの構成を示す図
【図６】本発明の参考例１の収差曲線図
【図７】本発明の参考例２の収差曲線図
【図８】本発明の参考例３の収差曲線図
【図９】本発明の実施例１の収差曲線図
【図１０】本発明の実施例２の収差曲線図
【図１１】本発明の対物レンズと組み合わせて使用する結像レンズの１例の構成を示す図
【発明を実施するための最良の形態】
【００４３】
次に本発明の顕微鏡対物レンズの実施の形態を各実施例にもとづいて説明する。
参考例１
【００４４】
本発明の参考例１は、図１に示す通りの構成で、物体側より第１レンズ群Ｇ１と第２
レンズ群Ｇ２とよりなり、第１レンズ群Ｇ１が物体側から順に、正レンズ（ｒ1〜ｒ2）と
、正レンズＬ１ｐ（ｒ3〜ｒ4）と像側に凹面を向けた負レンズＬ１ｎ（ｒ4〜ｒ5）とを貼
り合わせた接合レンズＬ１（ｒ3〜ｒ5）とよりなる。また、第２レンズ群Ｇ２は、物体側
から順に、負レンズ（ｒ6〜ｒ7）と正レンズ（ｒ7〜ｒ8）とを貼り合わせた接合レンズ（
ｒ6〜ｒ8）と、正レンズ（ｒ9〜ｒ10）と、物体側に凹面を向けた負レンズＬ２ｎ（ｒ11
〜ｒ12）と正レンズＬ２ｐ（ｒ12〜ｒ13）とを貼り合わせた接合レンズＬ２（ｒ11〜ｒ13
）からなる。
【００４５】
この参考例１のデータは下記の通りである。
ｆ＝４５、β＝４×、ＮＡ＝０．１６、視野数＝２６．５、ＷＤ＝１３．３２７
ｒ1 ＝23.5100           ｄ1 ＝3.3114    ｎ1 ＝1.51633     ν1 ＝64.14 
ｒ2 ＝-18.0816          ｄ2 ＝1.1909
ｒ3 ＝11.9099           ｄ3 ＝8.3841    ｎ2 ＝1.49700     ν2 ＝81.54 
ｒ4 ＝-11.4327          ｄ4 ＝1.4037    ｎ3 ＝1.74100     ν3 ＝52.64 
ｒ5 ＝7.6802            ｄ5 ＝4.9712
ｒ6 ＝-4.8583           ｄ6 ＝1.8582    ｎ4 ＝1.77250     ν4 ＝49.60 
ｒ7 ＝511.8307          ｄ7 ＝3.2971    ｎ5 ＝1.43875     ν5 ＝94.93 
ｒ8 ＝-7.5362           ｄ8 ＝0.2307
ｒ9 ＝-269.1995         ｄ9 ＝4.7695    ｎ6 ＝1.49700     ν6 ＝81.54 
ｒ10＝-11.3589          ｄ10＝0.3500
ｒ11＝-56.7065          ｄ11＝1.2469    ｎ7 ＝1.48749     ν7 ＝70.23 
ｒ12＝15.5159           ｄ12＝4.2171    ｎ8 ＝1.49700     ν8 ＝81.54 
ｒ13＝-24.9502
νd（Ｌ１ｐ）＝８１．５４
νd（Ｌ１ｎ）＝５２．６４
νd（Ｌ２ｐ）＝８１．５４
νd（Ｌ２ｎ）＝７０．２３
θＣｔ（Ｌ２ｐ）＝０．８２５８
θＣｔ（Ｌ２ｎ）＝０．８９２４
ｆ（Ｌ２）＝７９．７９９
ｆ＝４５
（１）  νd（Ｌ１ｐ）−νd（Ｌ１ｎ）＝２８．９
（２）  νd（Ｌ２ｐ）＝８１．５４
（３）  ｛θＣｔ（Ｌ２ｐ）−θＣｔ（Ｌ２ｎ）｝／
｛νd（Ｌ２ｐ）−νd（Ｌ２ｎ）｝＝−０．００５９
（４）  ｆ＝４５
（５）  ｜ｆ（Ｌ２）／ｆ｜＝１．７７
（６）  νd（Ｌ１ｐ）＝８１．５４
ただしｒ1 ，ｒ2 ，・・・ はレンズ各面の曲率半径、ｄ1 ，ｄ2 ，・・・ は各レン
ズの肉厚および空気間隔、ｎ1 ，ｎ2 ，・・・ は各レンズのｄ線に対する屈折率、ν1 
，ν2 ，・・・ は各レンズのｄ線に対するアッベ数である。尚データ中の長さの単位はm
mである。また、ｆは焦点距離、βは倍率、ＮＡは開口数、ＷＤは作動距離である。
【００４６】
この参考例１にて使用するガラスは、紫外域での透過率が優れ、自家蛍光の少ないガ
ラスである。したがって、この実施例１は、蛍光観察に最適な対物レンズである。
参考例２
【００４７】
参考例２は、図２に示す通りの対物レンズである。つまり第１レンズ群Ｇ１と第２レ
ンズ群Ｇ２とよりなる。また第１レンズ群Ｇ１は、物体側から順に、正レンズ（ｒ1〜ｒ2
）と、正レンズＬ１ｐ（ｒ3〜ｒ4）と像側に凹面を向けた負レンズＬ１ｎ（ｒ4〜ｒ5）と
を貼り合わせた接合レンズＬ１（ｒ3〜ｒ5）とよりなる。また、第２レンズ群Ｇ２は、物
体側から順に、負レンズ（ｒ6〜ｒ7）と正レンズ（ｒ7〜ｒ8）とを貼り合わせた接合レン
ズ（ｒ6〜ｒ8）と、正レンズ（ｒ9〜ｒ10）と、物体側に凹面を向けた負レンズＬ２ｎ（
ｒ11〜ｒ12）と正レンズＬ２ｐ（ｒ12〜ｒ13）とを貼り合わせた接合レンズＬ２（ｒ11〜
ｒ13）からなる。
この参考例２も紫外域での透過率に優れ、自家蛍光の少ないガラスを用いており、蛍光観察に好ましい構成である。
【００４８】
この参考例２のデータは次の通りである。
ｆ＝４５、β＝４×、ＮＡ＝０．１６、視野数＝２６．５、ＷＤ＝１３．１２８
ｒ1 ＝22.0338           ｄ1 ＝2.5851    ｎ1 ＝1.51633     ν1 ＝64.14 
ｒ2 ＝-16.3327          ｄ2 ＝1.0057
ｒ3 ＝13.2301           ｄ3 ＝8.0333    ｎ2 ＝1.49700     ν2 ＝81.54 
ｒ4 ＝-10.6413          ｄ4 ＝1.4762    ｎ3 ＝1.74100     ν3 ＝52.64 
ｒ5 ＝7.7218            ｄ5 ＝5.0902
ｒ6 ＝-4.6759           ｄ6 ＝1.7801    ｎ4 ＝1.74100     ν4 ＝52.64 
ｒ7 ＝-48.9050          ｄ7 ＝3.3001    ｎ5 ＝1.43875     ν5 ＝94.93 
ｒ8 ＝-7.3261           ｄ8 ＝0.3451
ｒ9 ＝∞                ｄ9 ＝4.8401    ｎ6 ＝1.49700     ν6 ＝81.54 
ｒ10＝-12.9154          ｄ10＝0.2325
ｒ11＝-69.4925          ｄ11＝1.8817    ｎ7 ＝1.48749     ν7 ＝70.23 
ｒ12＝18.2063           ｄ12＝4.6804    ｎ8 ＝1.43875     ν8 ＝94.93 
ｒ13＝-20.2479
νd（Ｌ１ｐ）＝８１．５４
νd（Ｌ１ｎ）＝５２．６４
νd（Ｌ２ｐ）＝９４．９３
νd（Ｌ２ｎ）＝７０．２３
θＣｔ（Ｌ２ｐ）＝０．８３７３
θＣｔ（Ｌ２ｎ）＝０．８９２４
ｆ（Ｌ２）＝７７．９４１
ｆ＝４５
（１）  νd（Ｌ１ｐ）−νd（Ｌ１ｎ）＝２８．９
（２）  νd（Ｌ２ｐ）＝９４．９３
（３）  ｛θＣｔ（Ｌ２ｐ）−θＣｔ（Ｌ２ｎ）｝／
｛νd（Ｌ２ｐ）−νd（Ｌ２ｎ）｝＝−０．００２２
（４）  ｆ＝４５
（５）  ｜ｆ（Ｌ２）／ｆ｜＝１．７３
（６）  νd（Ｌ１ｐ）＝８１．５４
参考例３
【００４９】
参考例３は、図３に示す通りの構成の第１レンズ群Ｇ１と第２レンズ群Ｇ２とよりな
る顕微鏡対物レンズである。
【００５０】
この参考例３の第１レンズ群Ｇ１は、物体側から順に、正レンズ（ｒ1〜ｒ2）と、正
レンズＬ１ｐ（ｒ3〜ｒ4）と像側に凹面を向けた負レンズＬ１ｎ（ｒ4〜ｒ5）とを貼り合
わせた接合レンズＬ１（ｒ3〜ｒ5）とよりなる。また、第２レンズ群Ｇ２は、物体側から
順に、負レンズ（ｒ6〜ｒ7）と正レンズ（ｒ7〜ｒ8）とを貼り合わせた接合レンズ（ｒ6
〜ｒ8）と、正レンズ（ｒ9〜ｒ10）と、物体側に平面を向けた負レンズＬ２ｎ（ｒ11〜ｒ
12）と正レンズＬ２ｐ（ｒ12〜ｒ13）とを貼り合わせた接合レンズＬ２（ｒ11〜ｒ13）か
らなる。
【００５１】
この参考例３のデータは下記の通りである。
ｆ＝１８、β＝４×、ＮＡ＝０．１６、視野数＝２６．５、ＷＤ＝１３．０７４
ｒ1 ＝15.4116           ｄ1 ＝2.4262    ｎ1 ＝1.51633     ν1 ＝64.14 
ｒ2 ＝-24.8478          ｄ2 ＝0.9700
ｒ3 ＝15.3969           ｄ3 ＝8.0632    ｎ2 ＝1.49700     ν2 ＝81.54 
ｒ4 ＝-9.7470           ｄ4 ＝1.4344    ｎ3 ＝1.74100     ν3 ＝52.64 
ｒ5 ＝8.4888            ｄ5 ＝5.0716
ｒ6 ＝-4.7470           ｄ6 ＝1.7813    ｎ4 ＝1.74100     ν4 ＝52.64 
ｒ7 ＝-29.6562          ｄ7 ＝3.2984    ｎ5 ＝1.43875     ν5 ＝94.93 
ｒ8 ＝-7.6436           ｄ8 ＝0.3428
ｒ9 ＝807.1999          ｄ9 ＝4.8337    ｎ6 ＝1.49700     ν6 ＝81.54 
ｒ10＝-12.8532          ｄ10＝0.1456
ｒ11＝∞                ｄ11＝1.7263    ｎ7 ＝1.48749     ν7 ＝70.23 
ｒ12＝13.7643           ｄ12＝4.5524    ｎ8 ＝1.43875     ν8 ＝94.93 
ｒ13＝-27.2037
νd（Ｌ１ｐ）＝８１．５４
νd（Ｌ１ｎ）＝５２．６４
νd（Ｌ２ｐ）＝９４．９３
νd（Ｌ２ｎ）＝７０．２３
θＣｔ（Ｌ２ｐ）＝０．８３７３
θＣｔ（Ｌ２ｎ）＝０．８９２４
ｆ（Ｌ２）＝７８．３２１
ｆ＝４５
（１）  νd（Ｌ１ｐ）−νd（Ｌ１ｎ）＝２８．９
（２）  νd（Ｌ２ｐ）＝９４．９３
（３）  ｛θＣｔ（Ｌ２ｐ）−θＣｔ（Ｌ２ｎ）｝／
｛νd（Ｌ２ｐ）−νd（Ｌ２ｎ）｝＝−０．００２２
（４）  ｆ＝４５
（５）  ｜ｆ（Ｌ２）／ｆ｜＝１．７４
（６）  νd（Ｌ１ｐ）＝８１．５４
この参考例３の対物レンズも紫外域での透過率に優れ、自家蛍光の少ないガラスより
なり、蛍光観察に最適な構成である。
【実施例１】
【００５２】
本発明の実施例１の対物レンズは、図４に示す通りの構成で、第レンズ群Ｇ１と第２
レンズ群Ｇ２とよりなる。そして、第１レンズ群Ｇ１は、物体側から順に、負レンズ（ｒ
1〜ｒ2）と正レンズ（ｒ2〜ｒ3）を貼り合わせた接合レンズ（ｒ1〜ｒ3）と、正レンズ（
ｒ4〜ｒ5）と、正レンズ（ｒ6〜ｒ7）と、正レンズＬ１ｐ（ｒ8〜ｒ9）と像側に凹面を向
けた負レンズＬ１ｎ（ｒ9〜ｒ10）とを貼り合わせた接合レンズＬ１（ｒ8〜ｒ10）とより
なる。また第２レンズ群Ｇ２は、物体側より順に、物体側に凹面を向けた負レンズＬ２ｎ
（ｒ11〜ｒ12）と正レンズＬ２ｐ（ｒ12〜ｒ13）とを貼り合わせた接合レンズＬ２（ｒ11
〜ｒ13）と、正レンズ（ｒ14〜ｒ15）とよりなる。
【００５３】
この実施例１のデータは次の通りである。
ｆ＝１８、β＝１０×、ＮＡ＝０．４、視野数＝２６．５、ＷＤ＝３．８
ｒ1 ＝-10.0179          ｄ1 ＝6.0670    ｎ1 ＝1.67300     ν1 ＝38.15 
ｒ2 ＝55.2737           ｄ2 ＝2.7505    ｎ2 ＝1.49700     ν2 ＝81.54 
ｒ3 ＝-9.2112           ｄ3 ＝0.2125
ｒ4 ＝83.9358           ｄ4 ＝4.0793    ｎ3 ＝1.56907     ν3 ＝71.30 
ｒ5 ＝-35.6271          ｄ5 ＝1.1100
ｒ6 ＝11.8739           ｄ6 ＝4.5781    ｎ4 ＝1.43875     ν4 ＝94.93 
ｒ7 ＝∞                ｄ7 ＝6.5068
ｒ8 ＝10.2087           ｄ8 ＝3.6739    ｎ5 ＝1.43875     ν5 ＝94.93 
ｒ9 ＝-9.8106           ｄ9 ＝1.2763    ｎ6 ＝1.55836     ν6 ＝54.01 
ｒ10 ＝8.2650           ｄ10 ＝5.6402
ｒ11 ＝-6.3912          ｄ11 ＝2.7687   ｎ7 ＝1.48749     ν7 ＝70.23 
ｒ12＝-19.9601          ｄ12＝3.2167    ｎ8 ＝1.49700     ν8 ＝81.54 
ｒ13＝-12.7726          ｄ13＝0.1300
ｒ14＝∞                ｄ14＝3.0324    ｎ9 ＝1.49700     ν9 ＝81.54 
ｒ15＝-16.8356
νd（Ｌ１ｐ）＝９４．９３
νd（Ｌ１ｎ）＝５４．０１
νd（Ｌ２ｐ）＝８１．５４
νd（Ｌ２ｎ）＝７０．２３
θＣｔ（Ｌ２ｐ）＝０．８２５８
θＣｔ（Ｌ２ｎ）＝０．８９２４
ｆ（Ｌ２）＝−３８．５２
ｆ＝１８
（１）  νd（Ｌ１ｐ）−νd（Ｌ１ｎ）＝４０．９２
（２）  νd（Ｌ２ｐ）＝８１．５４
（３）  ｛θＣｔ（Ｌ２ｐ）−θＣｔ（Ｌ２ｎ）｝／
｛νd（Ｌ２ｐ）−νd（Ｌ２ｎ）｝＝−０．００５９
（４）  ｆ＝１８
（５）  ｜ｆ（Ｌ２）／ｆ｜＝２．１４
（６）  νd（Ｌ１ｐ）＝９４．９３
この実施例１も、使用するガラスが紫外域での透過率に優れ、自家蛍光の少ない特徴
を有し、蛍光観察に最適な構成である。
【実施例２】
【００５４】
本発明の実施例２の対物レンズは、図５に示すような構成の、第レンズ群Ｇ１と第２
レンズ群Ｇ２とよりなるレンズ系である。
【００５５】
また、第１レンズ群Ｇ１は、物体側から順に、負レンズ（ｒ1〜ｒ2）と正レンズ（ｒ
2〜ｒ3）を貼り合わせた接合レンズ（ｒ1〜ｒ3）と、正レンズ（ｒ4〜ｒ5）と、正レンズ
（ｒ6〜ｒ7）と、正レンズＬ１ｐ（ｒ8〜ｒ9）と像側に凹面を向けた負レンズＬ１ｎ（ｒ
9〜ｒ10）とを貼り合わせた接合レンズＬ１（ｒ8〜ｒ10）とよりなる。また、第２レンズ
群Ｇ２は、物体側より順に、物体側に凹面を向けた負レンズＬ２ｎ（ｒ11〜ｒ12）と正レ
ンズＬ２ｐ（ｒ12〜ｒ13）とを貼り合わせた接合レンズＬ２（ｒ11〜ｒ13）と、正レンズ
（ｒ14〜ｒ15）とよりなる。
【００５６】
この実施例２のデータは次の通りである。
ｆ＝１８、β＝１０×、ＮＡ＝０．４、視野数＝２６．５、ＷＤ＝３．９４９
ｒ1 ＝-5.9965           ｄ1 ＝2.9820    ｎ1 ＝1.67300     ν1 ＝38.15 
ｒ2 ＝71.8587           ｄ2 ＝3.0905    ｎ2 ＝1.49700     ν2 ＝81.54 
ｒ3 ＝-7.1299           ｄ3 ＝0.2125
ｒ4 ＝177.0850          ｄ4 ＝4.1851    ｎ3 ＝1.56907     ν3 ＝71.30 
ｒ5 ＝-18.9259          ｄ5 ＝1.1100
ｒ6 ＝11.1707           ｄ6 ＝3.6235    ｎ4 ＝1.43875     ν4 ＝94.93 
ｒ7 ＝∞                ｄ7 ＝5.4744
ｒ8 ＝9.3475            ｄ8 ＝3.6935    ｎ5 ＝1.43875     ν5 ＝94.93 
ｒ9 ＝-10.9268          ｄ9 ＝1.8214    ｎ6 ＝1.55836     ν6 ＝54.01 
ｒ10 ＝7.4855           ｄ10 ＝5.5110
ｒ11 ＝-5.4188          ｄ11 ＝3.5673   ｎ7 ＝1.51633     ν7 ＝64.14 
ｒ12＝116.2141          ｄ12＝4.0903    ｎ8 ＝1.43875     ν8 ＝94.93 
ｒ13＝-10.7940          ｄ13＝0.1300
ｒ14＝∞                ｄ14＝3.2380    ｎ9 ＝1.49700     ν9 ＝81.54 
ｒ15＝-17.1112
νd（Ｌ１ｐ）＝９４．９３
νd（Ｌ１ｎ）＝５４．０１
νd（Ｌ２ｐ）＝９４．９３
νd（Ｌ２ｎ）＝６４．１４
θＣｔ（Ｌ２ｐ）＝０．８３７３
θＣｔ（Ｌ２ｎ）＝０．８６８７
ｆ（Ｌ２）＝−２８．３７９
ｆ＝１８
（１）  νd（Ｌ１ｐ）−νd（Ｌ１ｎ）＝４０．９２
（２）  νd（Ｌ２ｐ）＝９４．９３
（３）  ｛θＣｔ（Ｌ２ｐ）−θＣｔ（Ｌ２ｎ）｝／
｛νd（Ｌ２ｐ）−νd（Ｌ２ｎ）｝＝−０．００１
（４）  ｆ＝１８
（５）  ｜ｆ（Ｌ２）／ｆ｜＝１．５８
（６）  νd（Ｌ１ｐ）＝９４．９３
以上述べた参考例１、２、３、実施例１、２は、データに示すように条件（１）、（２）、（３）、（４）、（５）、（６）のいずれも満足する。
【００５７】
また、参考例１、２、３はいずれも倍率βが４倍で、ＮＡが０．１６の対物レンズで
ある。実施例１、２は、倍率βが１０倍で、ＮＡが０．４である。
【００５８】
この実施例２にて使用するガラスも、紫外域での透過率に優れ、自家蛍光の少ない特
徴を有し、蛍光観察に適した構成の対物レンズである。
【００５９】
上記参考例１〜３、実施例１、２にて用いられるカバーガラスＣは、厚さが０．１７ｍｍ、ｄ線に対する屈折率が１．５２１、ｄ線に対するアッベ数が５６．０２である。
またこれら参考例１〜３、実施例１、２は、いずれも対物レンズからの射出先が平行光束である無限遠補正型対物レンズであり、それ自体では結像しない。したがって、例えば図１１に示す構成で、下記データを有する結像レンズと組み合わせて用いられる。
Ｆ＝１８０
Ｒ1 ＝68.7541           Ｄ1 ＝7.7321    Ｎ1 ＝1.48749     Ｖ1 ＝70.20
Ｒ2 ＝-37.5679          Ｄ2 ＝3.4742    Ｎ2 ＝1.80610     Ｖ2 ＝40.95
Ｒ3 ＝-102.8477         Ｄ3 ＝0.6973
Ｒ4 ＝84.3099           Ｄ4 ＝6.0238    Ｎ3 ＝1.83400     Ｖ3 ＝37.16
Ｒ5 ＝-50.7100          Ｄ5 ＝3.0298    Ｎ4 ＝1.64450     Ｖ4 ＝40.82
Ｒ6 ＝40.6619
ここで、Ｒ1 ，Ｒ2 ，・・・Ｒ6は結像レンズの各レンズ面の曲率半径、Ｄ1 ，Ｄ2 
，・・・Ｄ5 は結像レンズの各レンズの肉厚および空気間隔、Ｎ1 ，Ｎ2 ，Ｎ3 ，Ｎ4は
結像レンズの各レンズの屈折率、Ｖ1 ，Ｖ2 ，Ｖ3 ，Ｖ4は結像レンズの各レンズのアッ
ベ数、Ｆは結像レンズの焦点距離である。
【００６０】
この結像レンズを各参考例、実施例と組み合わせて使用する場合、対物レンズと結像レンズとの間隔が５０ｍｍ〜１７０ｍｍになる位置に結像レンズを配置して使用する。
【００６１】
参考例１〜３、実施例１、２に１２０ｍｍ離して上記結像レンズと組み合わせた時の収差状況は夫々図６、図７、図８、図９、図１０に示す通りである。
【００６２】
これら収差状況より明らかなように、本発明の各参考例、実施例は、可視域から近赤外域まで色収差をはじめ諸収差が良好に補正されている。
【００６３】
また、本発明の対物レンズは、前記文献等の従来の可視域から近赤外域まで波長に対
して使用可能の対物レンズで、同程度の倍率のものと比べ高ＮＡを有し、明るく解像度の
高い対物レンズである。
【産業上の利用可能性】
【００６４】
本発明の顕微鏡対物レンズは、蛍光観察やＤＩＣ観察等に用いるもので、倍率が４〜
１０倍程度で可視域から近赤外域まで収差が良好に補正されている。しかも、高いＮＡを
有し、したがって、細胞、蛋白質、ＤＮＡの観察にも適している。
【図１】
2011028288.tif 000003
【図２】
2011028288.tif 000004
【図３】
2011028288.tif 000005
【図４】
2011028288.tif 000006
【図５】
2011028288.tif 000007
【図６】
2011028288.tif 000008
【図７】
2011028288.tif 000009
【図８】
2011028288.tif 000010
【図９】
2011028288.tif 000011
【図１０】
2011028288.tif 000012
【図１１】
2011028288.tif 000013